(57)【要約】【課題】排水機器の設置自由度を向上させることができる排水システムを提供すること。【解決手段】排水システムＳ１は、建物に配置されている排水機器５からの排水を重力を利用して送る重力排水管路ＧＲに対して、排水機器１からの排水を強制的に圧力を加えて送るための強制排水管路ＣＲを、合流させて構成されている。強制排水管路ＣＲを合流させる重力排水管路ＧＲの部位は、複数の排水機器５からの重力排水管路用の配管６を接続可能とした接続口部１２を備えた排水ヘッダー１１の上部に開口する掃除口１３、としている。【選択図】図１
2005113416.tif 000002
【特許請求の範囲】
【請求項１】
建物に配置されている排水機器からの排水を重力を利用して送る重力排水管路に対して、排水機器からの排水を強制的に圧力を加えて送るための強制排水管路を、合流させて構成されていることを特徴とする排水システム。
【請求項２】
前記強制排水管路を合流させる前記重力排水管路の部位が、複数の排水機器からの重力排水管路用の配管を接続可能とした接続口部を備えた排水ヘッダーの上部に開口する掃除口、としていることを特徴とする請求項１に記載の排水システム。
【請求項３】
前記強制排水管路の下流端に、複数の排水機器からの強制排水管路用の配管を接続可能な接続口部を備えた強制排水管路用の管継手が、配設され、
該管継手が、前記重力排水管路に接続されていることを特徴とする請求項１に記載の排水システム。
【請求項４】
前記強制排水管路が、既設の重力排水管路用の配管に対して、開口を設けて接続されていることを特徴とする請求項１に記載の排水システム。
【請求項５】
建物の住戸専有部側に配置されて複数の配管を接続可能な排水ヘッダーの少なくとも一つの開口部に、前記強制排水管路が接続されて、
前記排水ヘッダーが、区画壁を貫通して共用部側へ延びて前記重力排水管路と接続される排水管路を、一つだけ接続させて、構成されていることを特徴とする請求項１に記載の排水システム。
【請求項６】
前記重力排水管路に、開閉可能な蓋部を備えて該蓋部の開き時に接続口部を開口可能な排水管用コンセントが、配設され、
該排水管用コンセントに、前記強制排水管路が接続されていることを特徴とする請求項１に記載の排水システム。
【発明の詳細な説明】
【技術分野】
【０００１】
本発明は、建物に配置される排水機器からの排水を流す排水システムに関する。
【背景技術】
【０００２】
従来、建物に配置される排水機器からの排水を流す際には、重力を利用して送る重力排水（自然排水）とする排水システムとしていた（例えば、特許文献１参照）。
【特許文献１】特開２００１−１６４６２４公報
【発明の開示】
【発明が解決しようとする課題】
【０００３】
しかし、従来の排水システムでは、配管の勾配を考慮しなければならず、後付けで排水機器を設置しようとしても、円滑な排水を確保できない場合では、その排水機器を設置できず、排水機器の設置自由度が制限されていた。
【０００４】
本発明は、上述の課題を解決するものであり、排水機器の設置自由度を向上させることができる排水システムを提供することを目的とする。
【課題を解決するための手段】
【０００５】
本発明に係る排水システムは、建物に配置されている排水機器からの排水を重力を利用して送る重力排水管路に対して、所謂、真空排水・圧力排水方式等の、排水機器からの排水を強制的に圧力を加えて送るための強制排水管路を、合流させて構成されていることを特徴とする。
【０００６】
本発明に係る排水システムでは、重力排水管路に対して、排水機器からの排水を強制的に圧力を加えて送るための強制排水管路を、合流させて構成されていることから、強制排水管路に接続されている排水機器からの配管に関し、勾配を考慮しなくともよく、その排水機器の設置自由度を向上させることができる。
【０００７】
また、強制排水管路では、強制的に圧力を加えて排水を送れることから、重力排水に比べて詰まり難く、省スペースとなる小口径の配管を使用することが可能となって、強制排水管路自体の設置が容易となり、例えば、既設の建物において、後付けで、強制排水用の大便器等の排水機器を設置することとなって、住居専有部（インフィル部）側の床下に配管を通すこととなっても、容易に敷設することが可能となる。
【０００８】
そして、強制排水管路を合流させる重力排水管路の部位は、複数の排水機器からの重力排水管路用の配管を接続可能とした接続口部を備えた排水ヘッダーの上部に開口する掃除口、としてもよい。
【０００９】
このような構成では、既設の排水ヘッダーの掃除口に、強制排水管路の配管を接続できることから、容易に、重力排水管路に強制排水管路を合流させることができる。そして勿論、不要になれば、強制排水管路を取り外すことができ、例えば、介護用の大便器等を、強制排水管路に接続させて、配置させ、その後、不要になっても、容易に、その大便器等の排水機器とともに、強制排水管路を取り外すことができる。
【００１０】
なお、排水ヘッダーとは、排水機器（流し、浴槽、洗面台、洗濯機等）からの配管（排水横枝管）を、途中合流させることなく単独で配管させておき、それらの排水横枝管を、ヘッダー状(並列状)に配設した接続口部に接続合流させて、排水機器からの排水を所定の排水立て管に流出させることを前提とした排水管継手を言う。
【００１１】
また、強制排水管路の下流端には、複数の排水機器からの強制排水管路用の配管を接続可能な接続口部を備えた強制排水管路用の管継手を、配設させ、この管継手を、重力排水管路に接続させてもよい。
【００１２】
このような構成では、専用の管継手に対して、強制排水管路用の複数の配管を接続させることができて、複数の強制排水用の排水機器からの排水を集合させて重力排水管路に送ることができるとともに、その専用の管継手の複数の接続口部自体を、強制排水管路用の通気管に利用したり、あるいは、掃除口として、利用することができる。
【００１３】
さらに、強制排水管路は、既設の重力排水管路用の配管に対して、開口を設けて接続させるように構成してもよい。
【００１４】
このような構成では、強制排水管路の重力排水管路への合流が容易となり、一層、強制排水する排水機器の設置が、容易となる。
【００１５】
さらにまた、建物の住居専有部（インフィル部）側に配置されて複数の配管を接続可能な排水ヘッダーの少なくとも一つの開口部に、強制排水管路を接続させて、この排水ヘッダーが、区画壁を貫通して共用部（スケルトン部）側へ延びて重力排水管路と接続される排水管路を、一つだけ接続させて、構成されるようにしてもよい。
【００１６】
このように構成されていれば、区画壁に穴をあけることなく、建物の共用部でない住戸専有部側で、強制排水する排水機器の配管を、排水ヘッダーに接続させることができることから、多層階の集合住宅における後付けでの強制排水用の排水機器の設置が、極めて容易となる。勿論、不要となった場合には、排水機器とともに強制排水管路の取り外しも、容易となる。
【００１７】
また、重力排水管路に、開閉可能な蓋部を備えてこの蓋部の開き時に接続口部を開口可能な排水管用コンセントを、配設して、この排水管用コンセントに、強制排水管路を接続させてもよい。
【００１８】
このような構成では、排水管用コンセントを利用して、強制排水用の排水機器を接続することが可能となり、一層、強制排水用の排水機器の設置と取り外しが容易となる。
【発明を実施するための最良の形態】
【００１９】
以下、本発明の一実施形態を図面に基づいて説明すると、図１・２に示す第１実施形態の排水システムＳ１は、多層階の集合住宅に配置された排水ヘッダー１１に対して、強制排水管路ＣＲを構成する配管３が、接続されている。配管３は、強制排水用の排水機器（図例の場合には大便器である）１に連結されたポンプ２に接続されている。
【００２０】
そして、排水ヘッダー１１の側部に開口された四つの接続口部１２には、それぞれ、重力排水する排水機器５（図例の場合には、浴槽５Ａ、洗濯機５Ｂ、洗面台５Ｃ、流し５Ｄ）が接続されるとともに、排水ヘッダー１１自体が、排水立て管継手８の接続口部８ａと接続されている。この排水ヘッダー１１は、重力排水管路ＧＲの排水立て管９に対して、排水立て管継手８を利用して、接続されている。また、管継手８には、重力排水用の排水機器５である大便器５Ｅも、配管６を介して、接続されている。
【００２１】
なお、設置する強制排水用の排水機器１としては、停電時にポンプ２を作動できないことから、重力排水する排水機器５のいずれかと一致するものが望ましい。
【００２２】
この排水ヘッダー１１への配管３の接続は、排水ヘッダー１１の上部に配設された掃除口１３を利用している。すなわち、蓋１４を外した掃除口１３の蓋取付座１３ａに対して、円環状のパッキン１６を介在させて、略円環状のフランジ１７がボルト１８・１８止めされている。フランジ１７には、抜け止めリング１９を利用して、回転調整して固定可能に、曲りスリーブ２０の元部２０ａが配設され、曲りスリーブ２０の上端側の先端部２０ｂに、配管３が接続されている。なお、スリーブ２０は、先端部２０ｂ側をフランジ１７に対して首振りするように回転調整して、ボルト１８・１８を締め付ければ、パッキン１６が内径を狭めることから、その回転調整位置で、停止して固定されることとなる。そして、曲りスリーブ２０と配管３との接続は、パッキン２１を介在させて、円筒状の止め輪２２をスリーブ２０の先端部２０ｂに螺合させることにより、行なっている。
【００２３】
このような排水システムＳ１では、重力排水管路ＧＲに連通する排水ヘッダー１１に対して、排水機器１からの排水Ｗを強制的に圧力を加えて送るための強制排水管路ＣＲが、合流して構成されていることから、強制排水管路ＣＲに接続されている排水機器１からの配管３に関し、勾配を考慮しなくともよく、その排水機器１の設置自由度を向上させることができる。
【００２４】
また、この強制排水管路ＣＲでは、ポンプ２を利用して強制的に圧力を加えて排水Ｗを送れることから、省スペースとなる２０〜３０φ程度の小口径の配管３を使用することが可能となって、強制排水管路ＣＲ自体の設置が容易となり、例えば、既設の建物において、後付けで、強制排水用の大便器等の排水機器１を設置することとなって住戸専有部（インフィル部）２４の床下に配管３を通すこととなっても、容易に敷設することが可能となる。なお、排水ヘッダー１１が、住戸専有部２４側でなく、区画壁２５を越えた共用部（スケルトン部）２６側に配置されている場合には、配管３は、区画壁２５を貫通させて、スリーブ２０に接続させればよい。
【００２５】
そして、第１実施形態では、強制排水管路ＣＲを合流させる重力排水管路ＧＲの部位が、複数の排水機器５Ａ・５Ｂ・５Ｃ・５Ｄからの重力排水管路ＧＲ用の配管６を接続可能とした接続口部１２を備えた排水ヘッダー１１の上部に開口する掃除口１３、としている。そのため、既設の排水ヘッダー１１の掃除口１３に、強制排水管路ＣＲの配管３を接続できることから、容易に、重力排水管路ＧＲに強制排水管路ＣＲを合流させることができる。さらに、不要になれば、ボルト１８を外して蓋取付座１３ａからフランジ１７を外し、掃除口１３に蓋１４を取り付けることもできて、容易に、排水ヘッダー１１から強制排水管路ＣＲを取り外すことができる。すなわち、例えば、介護用の大便器等の排水機器１を、排水ヘッダー１１に連なるように強制排水管路ＣＲに接続させて、配置させ、その後、不要になっても、容易に、その大便器等の排水機器１とともに、強制排水管路ＣＲを取り外すことができる。
【００２６】
勿論、フランジ１７等を取り外せば、取り外し後の掃除口１３を利用して、配管６等の清掃を行なうことができる。
【００２７】
なお、第１実施形態の排水システムＳ１では、スリーブ２０が、配管３をフランジ１７に対して、約４５°の角度θで取り付けていることから、強制的に流す排水Ｗを、円滑に排水ヘッダー１１内に流入させることができる。
【００２８】
また、スリーブ２０が、ボルト１８を緩めれば、フランジ１７に対して、先端部２０ｂ側を回転させることができることから、先端部２０ｂを所定方向に向けてボルト１８を締め付ければ、先端部２０ｂの向く方向を調整できて、配管３との接続作業が容易となる。
【００２９】
さらに、図２の二点鎖線に示すように、スリーブ２０の元部２０ａ側に、下方側を排水の下流側となる管継手８側に曲げるとともに先端側に向かって拡径させたテーパ曲管状の拡径端部２０ｃを設ければ、強制的に圧送される排水Ｗを拡散放出させることが可能となり、消音効果を生じさせるとともに、他の接続口部に接続された配管６側への流入を避けて、排水Ｗを重力排水管路ＧＲ側へ流すことができる。勿論、この点を考慮しなければ、元部２０ａをストレート管状としてもよい。
【００３０】
なお、配管３は、テープやモルタル等の耐火層を適宜設けた塩化ビニル等の合成樹脂管の他、ステンレスや鋳鉄等の金属管から構成しても良く、さらに、曲げ可能な金属製等の蛇腹管とすれば、図３に示すように、スリーブ２０を利用することなく、パッキン１６、フランジ１７、ボルト１８、及び、抜け止めリング１９、を利用して、その蛇腹管からなる配管３Ａを、掃除口１３に接続することができる。
【００３１】
また、フランジ１７やスリーブ２０も、耐火層を適宜設けた塩化ビニル等の合成樹脂や、ステンレスや鋳鉄等の金属から形成してもよい。
【００３２】
第２実施形態の排水システムＳ２は、図４・５に示すように、強制排水管路ＣＲの下流端に、複数の排水機器からの強制排水管路用の配管３を接続可能な接続口部２９を備えた管継手２８を、配設させて構成されている。この管継手２８は、複数の接続口部２９を水平方向に沿って並べた強制排水管路用の専用の排水ヘッダーであり、一方の端部を、取り外し可能な蓋３１を有した掃除口３０として、他方の端部を、重力排水管路ＧＲを構成する排水立て管継手８に、接続させている。接続口部２９は、第１実施形態とフランジ１７やスリーブ２０を設けた口部構造１５と同様としている。
【００３３】
このような構成では、専用の管継手２８に対して、強制排水管路用の複数の配管３を接続させることができて、複数の強制排水用の排水機器からの排水Ｗを集合させて重力排水管路ＧＲに送ることができるとともに、その専用の管継手２８の複数の接続口部２９自体を、強制排水管路用の通気管に利用したり、あるいは、掃除口として、利用することができる。
【００３４】
なお、強制排水管路用の専用の排水ヘッダー２８としては、図５に示すように、重力排水管路ＧＲ側への排水が良好となるように、内部の底面２８ｂに勾配を設けてもよい。
【００３５】
また、この排水ヘッダー（管継手）２８では、掃除口３０の蓋取付座３０ａと所定のフランジ付きの配管とを利用して、掃除口３０側に、重力排水管路を接続することも可能となる。勿論、蓋３１は、掃除口３０の蓋取付座３０ａに対して、ボルトを利用することなく、ねじ構造で着脱できるように構成してもよい。
【００３６】
ちなみに、このような継手２８は、鋳鉄等の金属や、耐火層を適宜設けた塩化ビニル等の合成樹脂から形成することができる。そして、例えば、合成樹脂製とするような場合には、口部構造１５に関して、フランジ１７を継手本体２８ａに接着させてもよい。
【００３７】
さらに、強制排水管路の下流端に、強制排水管路用の管継手を設ける場合には、図６に示すように、排水立て管９を接続させる立て管タイプの管継手２８Ａとしてもよい。この管継手２８Ａは、複数の排水機器からの強制排水管路用の配管３を接続可能な接続口部２９を備えて構成され、立て管９・９間に配設したり、あるいは、図例のように、重力排水管路用の排水立て管継手８Ａと立て管９との間に配設させてもよい。
【００３８】
さらにまた、排水立て管９を接続させる立て管タイプとしては、図７・８に示す管継手２８Ｂのように、強制排水管路ＣＲ用の配管３を接続させる接続口部２９Ｂを、円筒状の本体部２８ａの周囲に、放射状に、配設させてもよい。なお、使用しない接続口部２９Ｂは、着脱可能な蓋３２によって、塞いでおけばよい。
【００３９】
また、重力排水管路用の排水立て管を接続させる排水立て管継手に対して、強制排水管路を接続させる場合に、図９・１０に示すように、排水立て管継手８Ｂ・８Ｃにおける立て管用の上下の接続口部８ａを除いた通気管や横枝管等を接続させたり、あるいは、掃除口とするような開口部８ｂ・８ｃに対して、少なくとも一つの強制排水管路ＣＲの配管３を接続可能な複数の接続口部３５を有した継手３４Ａ・３４Ｂを、接続させるように構成してもよい。なお、継手３４Ａは縦型であり、継手３４Ｂは横型としている。
【００４０】
これらの継手３４Ａ・３４Ｂの各接続口部３５には、配管３の他、洗面や流し等からの排水の小口径の配管、空調用ドレンの配管、あるいは、強制排水用の通気管等を接続させることができる。そして、これらの口部３５と所定の管との接続は、フランジ部等を設けてボルト・ナット止めしたり、あるいは、端面相互を突き合わせて、端面付近の外周面相互を所定の爪片等で係止して結合可能なクランプ、所謂、ノンハブカップリング３６を利用して、接続してもよい。
【００４１】
なお、各継手３４Ａ・３４Ｂの上端や先端にも、二点鎖線に示すように、接続口部３５を設けてもよい。
【００４２】
さらに、排水立て管継手に設ける継手として、図１１・１２に示す継手３４Ｃ・３４Ｄのように、上端や先端等の頂部に、大径の接続口部３５Ａ、あるいは、接続口部３５Ａより小径の接続口部３５Ｂを設ける場合には、それらの接続口部３５Ａ・３５Ｂに所定の重力排水管路若しくは強制排水管路の配管を接続したり、あるいは、それらの配管を接続しない場合には、キャップ３７・３７Ａによって、それらの接続口部３５Ａ・３５Ｂを閉塞しておいてもよい。なお、キャップ３７・３７Ａは、円板状の蓋部３７ｂ、及び、蓋部３７ｂの外周縁付近から延びる筒部３７ｃ、を備えたゴム等からなる本体３７ａと、ベルト式クランプ３７ｄと、から構成され、本体３７ａを口部３５Ａ・３５Ｂに嵌めて、クランプ３７ｄを締め付けて筒部３７ｃを口部３５Ａ・３５Ｂの外周面に圧接させることにより、口部３５Ａ・３５Ｂを閉塞している。ちなみに、これらの接続口部３５Ａ・３５Ｂでは、キャップ３７・３７Ａを外して、洗浄用のホースを内部に挿入して、管路の清掃を行なうこともできる。
【００４３】
さらにまた、複数の接続口部３５を配設させる場合には、図１３〜１９に示す継手３８Ａ・３８Ｂ・３８Ｃのように、接続口部３５を構成してもよい。
【００４４】
図１３・１４に示す継手３８Ａは、強制排水管路ＣＲの配管３からの排水Ｗを、継手本体３８ａの内周面に沿わせて、本体３８ａ内で空気芯を確保して流下させるように、各口部３５を、円筒状の本体３８ａの略接線方向に配設させている。
【００４５】
図１５・１６・１７に示す継手３８Ｂは、上下に並ぶ二列の接続口部３５を、左右の列で相互に反ピッチずつ、ずらして配設させるとともに、それぞれ、排水Ｗを、本体３８ａ内で空気芯を確保して流下させることができるように、円筒状の本体３８ａの略接線方向に配設させている。
【００４６】
図１８・１９に示す継手３８Ｃでは、上下に並ぶ接続口部３５を、本体３８ａに対して、排水Ｗを斜め下方向に流入させるように、配設させている。
【００４７】
さらにまた、図２０に示す第３実施形態の排水システムＳ３のように、強制排水管路ＣＲを、既設の重力排水管路ＧＲ用の配管４０に対して、穴明け加工して設けた開口４１を使用して、接続させるようにしてもよい。この排水システムＳ３では、穴明け加工して設けた開口４１の周縁に、配管３を接続可能なサドルバンド形式の継手４２を取り付けている。この継手４２は、配管４０の外周面に締結される締結バンド４３・４３と、締結バンド４３・４３に取り付けられている口部構造１５を設けたサドル４４と、から構成されている。
【００４８】
このような排水システムＳ３では、配管４０に対して、開口４１を開けて、継手４２を取り付けるだけで、重力排水管路ＧＲの配管４０に対して、強制排水管路ＣＲの配管３を接続させることができる。そのため、強制排水管路ＣＲの重力排水管路ＧＲへの合流が容易となり、一層、強制排水する排水機器１の設置が、容易となる。
【００４９】
なお、図２１に示すサドル４４Ａのように、複数の配管３や通気管等を接続できるように、複数の接続口４５ａを開口させたアタッチメント４５を配設させてもよい。
【００５０】
さらに、図２２に示す第４実施形態の排水システムＳ４のように、建物の住戸専有部（インフィル部）２４側に配置されて複数の配管を接続可能な排水ヘッダー４６の少なくとも一つの開口部４７に、強制排水管路ＣＲの配管３を接続させて、この排水ヘッダー４６が、区画壁２５を貫通して共用部２６側へ延びて重力排水管路ＧＲと接続される排水管路４８を、一つだけ接続させるように、構成してもよい。なお、この開口部４７は、ヘッダー４６の側部や端部に開口される接続口部４６ａ、あるいは、ヘッダー４６の上部に開口される掃除口４６ｂ等のいずれでもよい。ちなみに、図例の場合には、各掃除口４６ｂに、口部構造１５を設けて、強制排水用の排水機器に連結されている配管３を接続させ、接続口部４６ａに、重力排水用の排水機器に連結されている配管（横枝管）６を接続させている。
【００５１】
このように構成されていれば、強制排水管路用に、別途、区画壁２５に穴をあけることなく、建物の共用部（スケルトン部）２６でない住戸専有部２４側で、強制排水する排水機器の配管３を、排水ヘッダー４６に接続させることができることから、多層階の集合住宅における後付けでの強制排水用の排水機器の設置が、極めて容易となる。勿論、取り外し時も容易となる。さらに勿論、強制排水管路を設けない場合には、掃除口４６ｂに蓋４９を取り付けて、掃除口４６ｂを塞いでおけばよい。
【００５２】
なお、このような住戸専有部２４側に、複数の配管３・６を接続させる排水ヘッダーとしては、排水ヘッダー４６のような直管状の形状の他に、図２３に示すように、外形を扇形状や円形状とするような排水ヘッダー４６Ａとして、その外周面の一部に複数の開口部４７を、並設させてもよい。
【００５３】
また、図２４に示す第５実施形態の排水システムＳ５のように、重力排水管路ＧＲに、開閉可能な蓋部５３を備えてこの蓋部５３の開き時に接続口部５１を開口可能な排水管用コンセント５０を、配設して、この排水管用コンセント５０の接続口部５１に対して、強制排水管路ＣＲの配管３を差し込んで接続させてもよい。なお、符号５２の部材は、シール材である。また、このコンセント５０は、室内壁５５に固定されている。
【００５４】
このような構成では、排水管用コンセント５０を利用して、強制排水用の排水機器を接続することが可能となり、一層、強制排水用の排水機器の設置と取り外しが容易となる。
【００５５】
なお、この蓋部５３は、上端を下方側に回転させるように、下部にヒンジ部を設けて、下開きで開く構成としており、さらに、図例のように、略水平位置付近で、開き完了位置を規制しておけば、配管３の差し込み時や引き込み時の排水の雫を受けることも可能となり、床を汚すことを防止できる。
【図面の簡単な説明】
【００５６】
【図１】本発明に係る第１実施形態の排水システムを示す概略平面図である。
【図２】第１実施形態の強制排水管路の配管を接続させる部位の概略部分縦断面図である。
【図３】強制排水管路の配管の他の例を示す図である。
【図４】第２実施形態の排水システムを示す概略平面図である。
【図５】図４の概略部分縦断面図である。
【図６】第２実施形態に使用する管継手の変形例を示す。
【図７】第２実施形態に使用する管継手の他の変形例を示す。
【図８】図７に示した管継手の概略平面図である。
【図９】第２実施形態に使用する管継手のさらに他の変形例を示す。
【図１０】第２実施形態に使用する管継手のさらに他の変形例を示す。
【図１１】第２実施形態に使用する管継手のさらに他の変形例を示す。
【図１２】第２実施形態に使用する管継手のさらに他の変形例を示す。
【図１３】第２実施形態に使用する管継手のさらに他の変形例を示す。
【図１４】図１３に示す管継手の概略横断面図である。
【図１５】第２実施形態に使用する管継手のさらに他の変形例を示す。
【図１６】図１５に示す管継手の正面図である。
【図１７】図１５に示す管継手の概略横断面図である。
【図１８】第２実施形態に使用する管継手のさらに他の変形例を示す。
【図１９】図１８に示す管継手の概略側面図である。
【図２０】第３実施形態の排水システムを示す図である。
【図２１】第３実施形態の変形例を示す図である。
【図２２】第４実施形態の排水システムを示す概略平面図である。
【図２３】第４実施形態の変形例を示す概略平面図である。
【図２４】第５実施形態の排水システムを示す概略縦断面図である。
【符号の説明】
【００５７】
１…（強制排水用）排水機器、
２…ポンプ、
３…（強制排水用）配管、
５…（重力排水用）排水機器、
６…（重力排水用）配管、
１１・４６…排水ヘッダー、
１２・２９・４６ｂ…接続口部、
１３・３０…掃除口、
２８・２８Ａ・２８Ｂ…（強制排水用）管継手、
３４Ａ・３４Ｂ・３８Ａ・３８Ｂ・３８Ｃ・４２…（強制排水用）継手、
４０…（重力排水用）配管、
４１…開口、
４７…開口部、
４８…管路、
５０…排水管用コンセント、
５１…接続口部、
５３…蓋部、
ＧＲ…重力排水管路、
ＣＲ…強制排水管路、
Ｓ１・Ｓ２・Ｓ３・Ｓ４・Ｓ５…排水システム。
【図１】
2005113416.tif 000003
【図２】
2005113416.tif 000004
【図３】
2005113416.tif 000005
【図４】
2005113416.tif 000006
【図５】
2005113416.tif 000007
【図６】
2005113416.tif 000008
【図７】
2005113416.tif 000009
【図８】
2005113416.tif 000010
【図９】
2005113416.tif 000011
【図１０】
2005113416.tif 000012
【図１１】
2005113416.tif 000013
【図１２】
2005113416.tif 000014
【図１３】
2005113416.tif 000015
【図１４】
2005113416.tif 000016
【図１５】
2005113416.tif 000017
【図１６】
2005113416.tif 000018
【図１７】
2005113416.tif 000019
【図１８】
2005113416.tif 000020
【図１９】
2005113416.tif 000021
【図２０】
2005113416.tif 000022
【図２１】
2005113416.tif 000023
【図２２】
2005113416.tif 000024
【図２３】
2005113416.tif 000025
【図２４】
2005113416.tif 000026